(57)【特許請求の範囲】
【請求項１】
画像形成装置内の空間に配置され、上方から移動してくる記録媒体を受け止めて載置状態で収容する収容面を有する記録媒体収容具であって、
前記収容面が、下部にいくにしたがって徐々に湾曲しながら水平に近づく形状に形成された収容具本体と、
前記収容面の上部に取り付けられ、前記収容面に沿って手前側に引き出し可能な補助部材とを有し、
前記補助部材の前記収容面側に、水平方向へ伸びる引っかけ部が形成されていることを特徴とする記録媒体収容具。
【請求項２】
前記記録媒体収容具は当接部材を有し、該当接部材は、前記収容具本体に収容された記録媒体の下部でかつ手前側の端部が、前記補助部材の引き出し動作に伴って当接する位置に配置されたことを特徴とする請求項１に記載の記録媒体収容具。
【請求項３】
前記収容具本体は、前記画像形成装置内の前記空間から手前側に引き出し可能に設けられたことを特徴とする請求項２に記載の記録媒体収容具。
【請求項４】
前記記録媒体収容具は、前記収容具本体の引き出し量の限界を規定するストッパ部材を有することを特徴とする請求項３に記載の記録媒体収容具。
【請求項５】
前記ストッパ部材は、前記収容具本体の引き出し量の限界の規定の有無を選択できることを特徴とする請求項４に記載の記録媒体収容具。
【請求項６】
前記収容面の上部が垂直であることを特徴とする請求項１乃至請求項５のいずれかに記載の記録媒体収容具。
【請求項７】
画像形成される記録媒体を搬送する搬送手段を有し、搬送不良検知時に前記搬送手段により搬送中の記録媒体を前記空間まで搬送する画像形成装置であって、
前記空間に、請求項１乃至請求項６のいずれかに記載の記録媒体収容具が配置されたことを特徴とする画像形成装置。
【発明の詳細な説明】
【技術分野】
【０００１】
本発明は、複写機、ファクシミリ、プリンタ等の画像形成装置において、装置内部の搬送路上でタイミング不良等の軽微な搬送不良が生じた場合に搬送路上の記録媒体を搬送して収容する記録媒体収容具、およびこの記録媒体収容具を備えた画像形成装置に関する。
【背景技術】
【０００２】
複写機等の画像形成装置においては、画像形成工程中に装置内部の搬送路上で画像形成を行なう記録媒体例えば用紙を搬送しているが、用紙の状態や装置の動作不良等の原因によって搬送路上で搬送不良が生じることがあった。
搬送不良としては、用紙が詰まって停止するいわゆるジャムの他に、用紙の搬送遅れ等が生じるタイミング不良のような軽微な搬送不良がある。
軽微な搬送不良は、用紙に形成される画像の質に悪影響を及ぼすことがあり、また、放置しておくことによってジャムを引き起こす可能性もある。このような問題を解決するために、従来においては、軽微な搬送不良が生じた場合には、搬送路上の用紙を退避部まで搬送して収容するようにしている。
例えば、特許文献１には、画像形成装置内部の搬送路上でタイミング不良である「未達」や「滞留」等の軽微な搬送不良が検知された場合に、搬送路上の用紙を搬送し、収容手段である排紙トレイに収容する発明が記載されている。この発明においては、排紙トレイが引き出し可能に構成されており、ユーザは排紙トレイを引き出して収容された用紙を除去する。
【発明の概要】
【発明が解決しようとする課題】
【０００３】
しかしながら、特許文献１に記載された発明においては、用紙の除去は、用紙が画像形成装置外に完全に露出される程度に排紙トレイを引き出したうえで用紙を取り出して行わねばならず、そのため排紙トレイの引き出し量が大きくなり画像形成装置の設置スペースに制約が生じるという課題がある。
【課題を解決するための手段】
【０００４】
本発明に係る記録媒体収容具は、画像形成装置内の空間に配置され、上方から移動してくる記録媒体を受け止めて載置状態で収容する収容面を有する記録媒体収容具であって、前記収容面が、下部にいくにしたがって徐々に湾曲しながら水平に近づく形状に形成された収容具本体と、前記収容面の上部に取り付けられ、前記収容面に沿って手前側に引き出し可能な補助部材とを有し、前記補助部材の前記収容面側に、水平方向へ伸びる引っかけ部が形成されていることを特徴とする。
また、本発明に係る画像形成装置は、画像形成される記録媒体を搬送する搬送手段を有し、搬送不良検知時に前記搬送手段により搬送中の記録媒体を前記空間まで搬送する画像形成装置であって、前記空間に前記録媒体収容具が配置されたことを特徴とする。
【発明の効果】
【０００５】
本発明によれば、記録媒体収容具は収容面側に水平方向へ伸びる引っかけ部が形成されているとともに収容面の上部に取り付けられ収容面に沿って手前側に引き出し可能な補助部材を有しており、補助部材を引き出したときに、収容面に収容している記録媒体が回動して記録媒体収容具から突出するので、記録媒体の取り出しが容易であり、また画像形成装置の設置スペースの制約を小さくできるという効果を奏する。
【図面の簡単な説明】
【０００６】
【図１】本発明の第１の実施形態に係る画像形成装置である電子写真方式のプリンタ１の模式図である。
【図２】本発明の第１の実施形態に係る画像形成装置である電子写真方式のプリンタ１の外観図である。
【図３】本発明の第１の実施形態に係る用紙収容具８０を示す斜視図である。
【図４】本発明の第１の実施形態に係る用紙収容具８０に収容された用紙を取り出す手順を示す説明図である。
【図５】本発明の第１の実施形態に係る用紙収容具８０の変形例を示す斜視図である。
【図６】本発明の第１の実施形態に係る用紙収容具８０の他の変形例を示す斜視図である。
【図７】本発明の第２の実施形態に係る用紙収容具８０を示す斜視図である。
【図８】本発明の第２の実施形態に係る用紙収容具８０に収容された用紙を取り出す手順を示す説明図である。
【図９】本発明の第３の実施形態に係る用紙収容具８０を示す斜視図である。
【図１０】本発明の第３の実施形態に係るストッパ部材８４の構成を示す斜視図である。
【図１１】本発明の第４の実施形態に係る可変ストッパ部材８５の構成及び動作を示す斜視図である。
【発明を実施するための形態】
【０００７】
〔第１の実施形態〕
図１乃至図６を用いて、本発明の第１の実施形態について説明する。
＜＜画像形成装置の全体構成＞＞
まず、図１を参照して、本発明の第１の実施形態に係る画像形成装置である電子写真方式のプリンタ１の構成について説明する。
図１において、プリンタ１は、給紙部２、作像部３、転写部４、定着部５、反転搬送部６、排紙部７、退避部８、及び制御部（図示せず）を有している。
また、プリンタ１は、上記の各部にまたがり、記憶媒体である用紙を搬送する搬送手段として、複数の搬送ローラが配置された搬送路Ｐを有している。
【０００８】
搬送路Ｐには４系統の経路があり、第１の経路は、用紙が方向Ａから方向Ｂ１に向かう経路である。この第１の経路において用紙は、給紙部２から転写部４へ向かい、定着部５と反転搬送部６を経て排紙部７から排紙される。
第２の経路は、用紙が方向Ａから方向Ｂ２、方向Ｃ１および方向Ｄ１に向かう経路である。この第２の経路において用紙は、給紙部２から転写部４へ向かい定着部５を経た後に反転搬送部６にてスイッチバックされ、排紙部７に搬送されて排紙される。
第３の経路は、用紙が方向Ａから方向Ｂ２、方向Ｃ１および方向Ｄ２に向かう経路である。この第３の経路において用紙は、給紙部２から転写部４へ向かい定着部５を経た後に反転搬送部６にてスイッチバックされ、その後再び転写部４へ搬送される。
第４の経路は、用紙が方向Ｂ２から方向Ｃ２に向かう経路であり、搬送路Ｐにおいて搬送不良が発生した場合に上記の各搬送経路がこの第４の経路に切り換えられ、反転搬送部６より上流に存在した用紙は強制的に反転搬送部６を経由して退避部８に搬送される。
【０００９】
搬送路Ｐ上には、用紙を検知可能なフォトセンサＲ１〜Ｒ７が配置されている。
フォトセンサＲ１は定着部５内の入り口付近に位置する。フォトセンサＲ２は反転搬送部６内の入り口付近に位置する。フォトセンサＲ３は、反転搬送部６内の最も搬送方向上流側の切換点付近で切換後の方向Ｂ１へ向かう経路に位置する。フォトセンサＲ４は、排紙部７内の方向Ｂ１へ向かう経路の終端付近に位置する。
フォトセンサＲ５は、反転搬送部６内の方向Ｄ２へ向かう経路の搬送方向上流に位置する。フォトセンサＲ６は、反転搬送部６内の方向Ｄ２へ向かう経路の搬送方向下流に位置する。フォトセンサＲ７は、反転搬送部６内の方向Ｃ２へ向かう経路の終端付近に位置する。
【００１０】
フォトセンサＲ１〜Ｒ７は、用紙の検知の有無によって搬送状態を検知するものであり、フォトセンサＲ１〜Ｒ６によってタイミング不良のような搬送不良を検知し、フォトセンサＲ７によって用紙の退避部８への搬送を検知する。なお、「搬送不良」とは、用紙の搬送遅れ等が生じるタイミング不良のような軽微な搬送不良を指すものである。
【００１１】
給紙部２は、搬送路Ｐ上に用紙を供給するものであり、給紙トレイ２１、給紙ローラ２２、及びレジストローラ２３を有している。
給紙トレイ２１は、プリンタ１の下部に複数配置されており、画像形成前の用紙を収容する。給紙ローラ２２は、各給紙トレイ２１の上部に位置しており、給紙トレイ２１内の用紙を１枚ずつ搬送路Ｐ上へ送り出すものである。レジストローラ２３は、搬送路Ｐ上の転写部４手前に位置しており、搬送路Ｐ上を搬送されてきた用紙を、転写のタイミングに合わせて転写部４に向かう方向Ａへ送り出す。
【００１２】
作像部３は、転写部４において用紙に転写させるためのトナー像を形成するものである。作像部３は、シアン（Ｃ）色のトナーを有する現像剤を用いてトナー像を形成する画像形成ユニット３０Ｃと、同様に、マゼンタ（Ｍ）色のトナー像を形成する画像形成ユニット３０Ｍと、イエロー（Ｙ）色のトナー像を形成する画像形成ユニット３０Ｙと、ブラック（Ｋ）色のトナー像を形成する画像形成ユニット３０Ｋとを有している。
【００１３】
画像形成ユニット３０Ｃは、感光体ドラム３２Ｃを中心に配し、その周囲に反時計回りに帯電部３３Ｃ、露光部３４Ｃ、現像部３５Ｃ、清掃部３６Ｃ、及び除電部３７Ｃがこの順に配置されたものであり、現像剤収容部３１Ｃは、現像部３５Ｃの上方に位置している。
現像剤収容部３１Ｃは、Ｃ色のトナーを収容する。感光体ドラム３２Ｃは、回転駆動可能となっており、その表面に静電潜像が形成され、この静電潜像に対応してトナー像が形成される。帯電部３３Ｃは、感光体ドラム３２Ｃの表面を帯電させる。露光部３４Ｃは、帯電部３３Ｃによって帯電された感光体ドラム３２Ｃの表面にレーザ光を照射することによって静電潜像を形成する。現像部３５Ｃは、感光体ドラム３２Ｃの表面に形成された静電潜像に対応して、現像剤収容部３１Ｃに収容されているＣ色のトナーを付着させることによりＣ色のトナー像を形成する。清掃部３６Ｃは、トナー像を用紙に転写した後の感光体ドラム３２Ｃの表面の残留トナーを除去する。除電部３７Ｃは、清掃処理後の感光体ドラム３２Ｃの表面を除電する。
なお、画像形成ユニット３０Ｃ、３０Ｍ、３０Ｙ、３０Ｋは、用いるトナー色が異なること以外は各々が同じ構成であるので、画像形成ユニット３０Ｍ、３０Ｙ、３０Ｋの３つの画像形成ユニットの構成については説明を省略する。
【００１４】
転写部４は、作像部３によって感光体ドラム３２Ｃ、３２Ｍ、３２Ｙ、３２Ｋに形成された各トナー像を順次重ね合わせ、これによって形成されたカラーのトナー像を用紙に転写する。転写部４は、中間転写ベルト４１、駆動ローラ４２、従動ローラ４３、テンションローラ４４、一次転写ローラ４５Ｃ、４５Ｍ、４５Ｙ、４５Ｋ、二次転写ローラ４６、二次対向ローラ４７を有している。
【００１５】
中間転写ベルト４１は、ループ状であって、駆動ローラ４２および従動ローラ４３により、その上面が感光体ドラム３２Ｃ、３２Ｍ、３２Ｙ、３２Ｋと接触するように支持されている。中間転写ベルト４１は、感光体ドラム３２Ｃ、３２Ｍ、３２Ｙ、３２Ｋとの接触位置ではこれらの駆動方向と同方向であるＴ方向へ駆動される。駆動ローラ４２は、図示しないモーターによって駆動される。テンションローラ４４は、中間転写ベルト４１にテンションを与えるものである。
一次転写ローラ４５Ｃ、４５Ｍ、４５Ｙ、４５Ｋは、中間転写ベルト４１の内側に接し、中間転写ベルト４１を挟んで感光体ドラム３２Ｃ、３２Ｍ、３２Ｙ、３２Ｋと対向する位置に配置されている。二次転写ローラ４６は、中間転写ベルト４１の内側に接し、中間転写ベルト４１が搬送路Ｐ上の用紙に接するような位置に配置されている。二次対向ローラ４７は、中間転写ベルト４１を挟んで二次転写ローラ４６と対向する位置に配置されている。
【００１６】
定着部５は、転写部４によって用紙に転写されたトナーを定着させるものであり、定着ローラ５１、定着対向ローラ５２を有している。
【００１７】
定着ローラ５１は、搬送された用紙に接するように配置されるものであり、内部に有する発熱体によって用紙を加熱する。定着対向ローラ５２は、定着ローラ５１に対向する位置に配置され、これにより、搬送された用紙を定着ローラ５１との間に挟みこみ加熱および加圧する。
【００１８】
反転搬送部６は、用紙をそのまま排紙部７へ搬送し、また用紙をスイッチバックさせて反転状態で排紙部７へ搬送し、また用紙をスイッチバックさせた後に再給紙し、また用紙を退避部８へと退避させるものである。反転搬送部６は、フリップローラ６１と切換手段６２〜６４と、反転ローラ６５を有している。
【００１９】
フリップローラ６１は、用紙を方向Ｃ１または方向Ｃ２へ向けて搬送し、または方向Ｃ１へ搬送された後にスイッチバックされた用紙を方向Ｄ１へ搬送する。切換手段６２は、方向Ｂ１の経路と方向Ｂ２の経路の切換を行う。切換手段６３は、方向Ｃ１の経路と方向Ｃ２の経路の切換を行う。切換手段６４は、方向Ｄ１の経路と方向Ｄ２の経路の切換を行う。反転ローラ６５は、方向Ｃ１へと搬送された用紙をスイッチバックさせ、方向Ｄ１または方向Ｄ２へ搬送する。
【００２０】
排紙部７は、反転搬送部６から搬送された用紙の排紙を行うものであり、排紙ローラ７１、排紙口７２、および排紙トレイ７３を有している。
【００２１】
排紙ローラ７１は、反転搬送部６から受け取った用紙を、排紙口７２を通じて排紙トレイ７３上へ排紙する。排紙口７２はプリンタ１の側方に設けられており、排紙トレイ７３はプリンタ１の外側であって排紙口７２の下方に設けられている。
【００２２】
図１及び図２を参照して、本実施形態に係る退避部８の構成について説明する。
図２は、本発明の第１の実施形態に係る画像形成装置である電子写真方式のプリンタ１の外観図である。
退避部８は、反転搬送部６の下方に位置し、フォトセンサＲ１〜Ｒ６が搬送不良を検知した場合に、搬送路Ｐから退避した用紙を収容するものである。
退避部８は、反転搬送部６の下方に位置する空間８０Ｓに用紙収容具８０が配置されて構成される。この空間８０Ｓの上面は上方から落下してくる用紙が通過可能な開放面であり、手前面は退避部８内の用紙をプリンタ１外部に取り出し可能な開放面である。この空間８０Ｓの上面と手前面以外の他の４面はプリンタ１の筐体により壁面が構成されている。
なお、用紙収容具８０は空間８０Ｓの底面に直接または載置用の部材を介して取り付けられる。
用紙収容具８０は、搬送不良を検知した場合に、反転搬送部６を経由して搬送され退避部８の空間８０Ｓ内に落下する用紙を載置状態で収容するものである。用紙収容具８０上に落下した用紙は空間８０Ｓの壁面に当接して静止する。このために用紙収容具８０はその下端が給紙トレイ２１側の壁面に接触または近接する位置に配置される。
【００２３】
また、退避部８には、警告ランプＷとドア（図示せず）を有している。
図２は退避部８の空間８０Ｓを示しており、ドアは、装置が通常動作時は空間８０Ｓ内部が外から見えないようにするために、空間８０Ｓの手前面に取り付けられている。警告ランプＷは、点灯していることをドアが閉じられた状態で確認できるように、ドアの外面に取り付けられている。
警告ランプＷは、フォトセンサＲ７が用紙の退避部８への進入を検知した後でかつ制御部が用紙の搬送の停止を確認した時に、制御部によって点灯される。
なお、本実施形態では用紙を静止させるために空間８０Ｓの壁面を利用することとしたが、用紙を静止させるための停止部材を空間８０Ｓに固定して設けてもよく、また用紙収容具８０と一体に設けてもよい。
【００２４】
図３を参照して、本実施形態に係る用紙収容具８０の構成について説明する。
図３において、用紙収容具８０は、用紙Ｋを収容する収容面８１１が形成された収容具本体８１と、引っかけ部８２１が形成されおよび取っ手８２２が設けられた補助部材８２を有している。
【００２５】
収容具本体８１に形成される収容面８１１は、上部がほぼ垂直であって下部にいくにしたがって徐々に湾曲しながら水平に近づく形状をしている。
この収容面８１１のほぼ垂直な部分は、反転搬送部６から退避部８へ向けて落下する用紙Ｋを受け止めて収容面８１１に沿って滑り落ちるようにガイドするために垂直より傾斜をもった形状になっている。一方、収容面８１１の下部は、用紙Ｋと収容面８１１が接触しているときに用紙Ｋと収容面８１１の間に摩擦力を有する程度に広い水平面に形成されている。また、収容面８１１の上部には、補助部材８２が取り付けられる段差部が形成されている。
補助部材８２は、板状部材に水平方向へ伸びる引っかけ部８２１が形成されたＬ字形状の部材であり、収容面８１１の上部の段差部に、スライドレール（図示せず）によって手前側に引き出し可能に取り付けられている。補助部材８２の手前側端部には、引き出しやすいように取っ手８２２が設けられている。
なお、収容面８１１の上部は傾斜を持たない垂直であってもよい。この場合には、落下する用紙は湾曲する部分にあたり、この湾曲する部分によって用紙はガイドされる。
【００２６】
制御部は、あらかじめ記憶されたプログラム等のデータや外部機器から受信する画像信号を含む情報に基づいて、プリンタ１全体の動作の制御を行う。
制御部は、図示はしないが、ＣＰＵ、ＲＯＭ、ＲＡＭ、ＨＤ、ＨＤＤ、ネットワークＩ／Ｆ、バスラインを有している。
【００２７】
ＣＰＵは、ＲＯＭに記憶されたプログラムに従い、ＲＡＭ上のワークエリアを用いてプリンタ１の動作を制御する。動作の制御には、ネットワークＩ／Ｆによって外部機器から受信した画像信号やＨＤ内に記憶された各種データを用いる。ＨＤの書き込み及び読み出しはＨＤＤによって行う。上記の各要素はバスラインによって電気的に接続される。
【００２８】
＜＜画像形成装置の動作＞＞
＜通常時の動作＞
次に、図１を参照して、本実施形態に係るプリンタ１の通常時の動作を説明する。
【００２９】
制御部が外部機器から画像信号を含む情報を受信すると、まず、給紙部２の給紙ローラ２２が給紙トレイ２１に収容されている用紙を１枚ずつ搬送路Ｐ上へ送り出す。送り出された用紙は、搬送路Ｐ上をレジストローラ２３へ向けて搬送される。
用紙がレジストローラ２３まで到達すると、レジストローラ２３が用紙を挟み込んで待機させる。そして、中間転写ベルト４１上のカラーのトナー像が二次転写ローラ４６に達するタイミングに合わせて、レジストローラ２３は用紙を転写部４へと送り出す。
【００３０】
一方、作像部３の画像形成ユニット３０Ｃにおいては、帯電部３３Ｃが、回転する感光体ドラム３２Ｃの表面を帯電させる。そして、露光部３４Ｃが、帯電部３３Ｃによって帯電された感光体ドラム３２Ｃの表面に、外部機器から受信した画像信号に基づいてレーザ光を照射する。これによって、感光体ドラム３２Ｃの表面には、画像信号に対応した静電潜像が形成される。
感光体ドラム３２Ｃの表面に静電潜像が形成されると、現像部３５Ｃは現像剤収容部３１Ｃに収容されているＣ色のトナーを用い、帯電部３３Ｃ及び露光部３４Ｃによって形成された静電潜像にトナーを付着させてトナー像を形成する。
同様に、画像形成ユニット３０ＭにおいてはＭ色のトナー像が、画像形成ユニット３０ＹにおいてはＹ色のトナー像が、画像形成ユニット３０ＫにおいてはＫ色のトナー像が、それぞれ形成される。
【００３１】
感光体ドラム３２Ｃ、３２Ｍ、３２Ｙ、３２Ｋの表面に各色のトナー像が形成された後、一次転写ローラ４５Ｃ、４５Ｍ、４５Ｙ、４５Ｋが、Ｔ方向に駆動される中間転写ベルト４１に一次転写バイアスをかける。すると、感光体ドラム３２Ｃ、３２Ｍ、３２Ｙ、３２Ｋの表面の各トナー像が順次重ね合わせられて中間転写ベルト４１に転写され、中間転写ベルト４１上にはカラーのトナー像が形成される。
中間転写ベルト４１上のカラーのトナー像は、その後、中間転写ベルト４１が駆動されることに伴って二次転写ローラ４６に向けて移動する。このとき、中間転写ベルト４１上のカラーのトナー像が二次転写ローラ４６に到達するタイミングに合わせて、給紙部２から給紙されてレジストローラ２３に挟み込まれている用紙が送り出される。
送り出された用紙が二次転写ローラ４６に到達すると、二次転写ローラ４６が、二次対向ローラ４７との間で用紙と中間転写ベルト４１に対して二次転写バイアスをかける。すると、中間転写ベルト４１の表面に形成されているカラーのトナー像が用紙に転写される。
【００３２】
カラーのトナー像が転写されると、用紙は定着ローラ５１の方向へ搬送される。
搬送された用紙は、内部に発熱体を有する定着ローラ５１によって加熱されるとともに、定着ローラ５１と定着対向ローラ５２の間に挟まれ、加圧される。その結果、用紙上のトナーは用紙に定着する。
【００３３】
定着部５による定着を経た用紙は、反転搬送部６に搬送され、事前になされたユーザからの片面印刷や両面印刷等の指示に応じて、切換手段６２〜６４を切り換えることによって経路を選択して搬送される。
ユーザによって通常の片面印刷が指示されている場合には、切換手段６２は方向Ｂ１へ経路を切り換える。これによって、用紙は第１の経路を通って排紙部７に搬送される。片面印刷の場合であっても、裏面排紙が指示されている場合には、切換手段６２は方向Ｂ２へ、切換手段６３は方向Ｃ１へ、切換手段６４は方向Ｄ１へ経路を切り換える。これによって、用紙は第２の経路を通って排紙部７に搬送される。
両面印刷が指示されている場合には、切換手段６２は方向Ｂ２へ、切換手段６３は方向Ｃ１へ、切換手段６４は方向Ｄ２へ経路を切り換える。これによって、用紙は第３の経路を通って再給紙される。
【００３４】
反転搬送部６から排紙部７に搬送された用紙は、排紙ローラ７１が駆動されることによって排紙口７２を通って排紙され、排紙トレイ７３上に積載される。
【００３５】
＜搬送不良検知時の動作＞
次に、図１乃至図３を参照して、本実施形態に係るプリンタ１の搬送不良検知時の動作を説明する。
【００３６】
通常動作の状態において、フォトセンサＲ１〜Ｒ６が搬送不良を検知すると、プリンタ１は、制御部による制御に応じて、給紙部２からの新たな用紙が供給されるのを停止するとともに搬送路Ｐ上の用紙を搬送し続ける。その間、切換手段６２は方向Ｂ２へ、切換手段６３は方向Ｃ２へ、経路を切り換える。これによって、搬送路Ｐ上を搬送される用紙は第４の経路を通って順次退避部８へ向けて搬送される。
退避部８へ向けて搬送された用紙は退避部８内の空間８０Ｓに配置された用紙収容具８０に向けて落下する。落下した用紙は収容具本体８１に形成された収容面８１１のほぼ垂直な部分で受け止められ、図３に示す矢印ａのように収容面８１１にガイドされて滑り落ちる。滑り落ちた用紙は退避部８内の壁面に当接して止まり、図３に示すような載置状態で収容面８１１上に収容される。
そして、一定時間搬送路Ｐ上のフォトセンサＲ１〜Ｒ６が搬送路Ｐ上の用紙を検知しなかった場合に退避が完了したものと判断して、用紙の搬送を停止する。この時、方向Ｃ２へ向かう経路の終端付近すなわち退避部８直上に設置されたフォトセンサＲ７が用紙を検知した後であれば、制御部は警告ランプＷを点灯させることによって用紙収容具８０に用紙が収容されている旨の警告表示を行う。
【００３７】
＜ユーザが用紙を取り出す手順＞
次に、図２乃至図４を参照し、搬送不良検知時に、ユーザが用紙収容具８０から用紙を取り出す手順について説明する。
【００３８】
警告ランプＷによる警告表示がなされると、ユーザは退避部８の手前側に設けられたドアを開き、図２に示すように空間８０Ｓ内部が見えるようにする。このとき空間８０Ｓ内部では、図３に示すように、収容具本体８１の収容面８１１上に矢印ａで示すように落下した用紙Ｋが載置状態で収容されている。
【００３９】
図４を参照してユーザが用紙を取り出す手順について説明すると、用紙Ｋは図４（Ａ）に示すような載置状態で収容されており、ユーザは取っ手８２２をつかんで補助部材８２を引出方向ｂに引き出す。
このように引き出すと、やがて、引っかけ部８２１が用紙Ｋの上部に当接する状態になる。その後、さらに補助部材８２を引き出すと、図４（Ｂ）に示すように、引っかけ部８２１に当接した用紙Ｋは、収容面８１１下部の水平面と接する部分でかつ手前側付近を支点として収容面８１１に沿いながら回転方向ｃへの回動を開始する。これは用紙Ｋの下部分と水平面との間に摩擦力が働くことによる。
さらに補助部材８２を引き出すと、図４（Ｃ）に示すように、収容面８１１上で回動した用紙Ｋの一部である図４（Ｃ）の破線で囲んだ部分が、収容具本体８１から突出した状態すなわち空間８０Ｓから突出した状態になる。そして、ユーザは、このように用紙Ｋの突出した部分を持って取出方向ｄに用紙Ｋを取り出す。
このように、ユーザは、用紙を取り出すときに収容具本体８１をプリンタ１の外部に完全に引き出す必要がなく、補助部材８２をプリンタ１から僅かに引き出すだけで用紙の取り出しを行うことが可能となる。
なお、収容面８１１下部の水平面の手前側部分にゴム材等の摩擦を生じさせる部材を取付けると、用紙Ｋの回動の支点がより安定する。
【００４０】
＜＜第１の実施形態に係る記録媒体収容具の変形例および他の変形例＞＞
次に、図５及び図６を参照して、第１の実施形態に係る用紙収容具８０の変形例について説明する。
図５は、第１の実施形態に係る用紙収容具８０の変形例を示す斜視図であり、この変形例においては、補助部材８２ａに形成された引っかけ部８２１ａは上部では垂直であるが下部にいくにしたがって端側に湾曲して水平に近づく曲面を有する形状をしている。これにより、引っかけ部８２１ａが回動する用紙Ｋに沿うこととなり、用紙Ｋの回動がより円滑になる。
【００４１】
図６は、第１の実施形態に係る用紙収容具８０の他の変形例を示す斜視図であり、この変形例においては、補助部材８２ｂに形成された引っかけ部８２１ｂは直角に交わった２面の壁部からなる形状をしている。これにより、反転搬送部６から退避部８に向けて落下してくる用紙が、収容面８１１から離れることを防ぎ収容面８１１上に確実に収容される。
【００４２】
〔第２の実施形態〕
次に、図７及び図８を参照して、第２の実施形態に係る用紙収容具８０について説明する。
図７は、第２の実施形態に係る用紙収容具８０を示す斜視図である。図８は、第２の実施形態に係る用紙収容具８０に収容された用紙を取り出す手順を示す説明図である。
この第２の実施形態においては、図７に示すように、用紙収容具８０は、室内の底面に固定された当接部材８３を有している。
当接部材８３の位置は、収容具本体８１の下端と空間８０Ｓの壁面との間であり、この間隔確保のために収容面８１１下部の水平面が第１の実施形態に比べて短く形成され、収容具本体８１は空間８０Ｓ内の給紙トレイ２１側の壁面から当接部材８３の幅の分だけ離れた位置に配置される。また空間８０Ｓ自体を大きくして上記間隔を確保するようにしても良い。
収容具本体８１は、空間８０Ｓの底面にスライドレール（図示せず）によって手前側水平方向へ引き出し可能に設けられている。また、収容具本体８１には取っ手８１２が設けられている。
【００４３】
図８（Ａ）に示すように、当接部材８３と引っかけ部８２１の間の距離Ｌは、用紙Ｋの幅よりも広くなるようにされている。
また、図７に示すように、用紙Ｋの下端部分が収容具本体８１の下端から、収容具本体８１の下端と空間８０Ｓの壁面との間隔の分だけ突出する。
なお、これら以外の構成は、第１の実施形態と同じである。
【００４４】
当接部材８３は、収容具本体８１を引き出した場合に、用紙Ｋの下部でかつ収容具本体８１の手前側の端部に当接する位置に、プリンタ１に固定されたものである。取っ手８１２は、収容具本体８１の手前側端部に引き出しやすいように設けられている。
本実施形態においては、ユーザは補助部材８２を引き出すとともに収容具本体８１をも引き出すことによって用紙収容具８０から用紙Ｋを取り出す。すなわち、図８（Ａ）の状態から図８（Ｂ）に示すように収容具本体８１を引出方向ｂ１へ引き出して、用紙Ｋの下部の手前側端部を当接部材８３と当接させる。
その後、図８（Ｃ）に示すように、補助部材８２を引出方向ｂ２へ引き出すことによって、用紙Ｋを用紙Ｋと当接部材８３との当接部分を支点として回転方向ｃへ回動させて、図８（Ｄ）に示すように用紙Ｋの手前側上端を空間８０Ｓから突出した状態にさせ、突出した部分を持って用紙Ｋを取り出す。
このような構成により、補助部材８２引き出し時における用紙Ｋの回動の支点が安定し、当接部材８３を設けない場合に比してより安定して用紙を突出させることができる。
収容具本体８１を引き出し可能にしないこともできるが、引き出し可能にする方がより好ましい。
【００４５】
〔第３の実施形態〕
次に、図９及び図１０を参照して、本第３の実施形態に係る用紙収容具８０について説明する。
図９は、第３の実施形態に係る用紙収容具８０を示す斜視図である。また、図１０は、第３の実施形態に係るストッパ部材８４の構成を示す斜視図である。
この第３の実施形態において、用紙収容具８０は、図９及び図１０に示すように切り欠き部８１３ｃが形成された収容具本体８１ｃを有しているとともに、図１０に示すようにストッパ部材８４を有している。これら以外の構成は、第２の実施形態のものと同じである。
【００４６】
収容具本体８１ｃの切り欠き部８１３ｃは、背面下部の角部に形成されたもので、手前側からの奥行は用紙Ｋの幅と同程度である。この奥行の長さによって、収容具本体８１の引き出し量の限界が規定される。
ストッパ部材８４は、プリンタ１の床面から上方向に向けて突出する板状部材であり、収容具本体８１ｃを引き出した時に切り欠き部８１３ｃの奥の面が当接する位置に配置されている。
【００４７】
これによって、収容具本体８１ｃを引き出したとき、ストッパ部材８４の奥の面が当接して収容具本体８１ｃの引き出し量の限界が規定される。その結果用紙Ｋが引っかけ部８２１と当接部材８３に挟まれることがなく、用紙Ｋが変形または破損することがなくなる。
なお、ストッパ部材８４は、取り外し、またはスライド移動可能に位置を変更するようにしてもよい。このように構成した場合には印刷する用紙のサイズに応じて収容具本体８１ｃの引き出し量の調整ができるため、より円滑な操作が可能となる。
【００４８】
〔第４の実施形態〕
次に、図１１を参照して、本第４の実施形態に係る用紙収容具８０について説明する。
図１１は、第４の実施形態に係る可変ストッパ部材８５の構成を示す斜視図である。
この第４の実施形態においては、図１１に示すように、用紙収容具８０は可変ストッパ部材８５を有している。第３の実施形態とこの構成以外の構成は同じである。
【００４９】
可変ストッパ部材８５は、リンク部材８５１とソレノイド８５２を有しており、用紙収容具８０の背面と空間８０Ｓの壁面との間の底面に配置される。
リンク部材８５１は、棒状部材の先端に板状部が形成されたものであって、収容具本体８１ｃの切り欠き部８１３ｃに板状部が位置するように配置されている。ソレノイド８５２は、リンク部材８５１と接続されており、ＯＮ、ＯＦＦの切換をすることによって、リンク部材８５１を上下動させるものである。
【００５０】
リンク部材８５１と板状部の動作範囲の確保のために、可変ストッパ部材８５は用紙収容具８０の位置より低位置に配置され、また切り欠き部８１３ｃの下方には空間８０Ｓが設けられている。
【００５１】
このような構成において、ソレノイド８５２をＯＮとすると（図１１（Ａ）の状態）、収容具本体８１ｃが引き出されたときに可変ストッパ部材８５と切り欠き部８１３ｃが当接して収容具本体８１ｃの引き出し量の限界が規定される。したがって収容具本体８１ｃが引き出されたときに用紙Ｋが引っかけ部８２１と当接部材８３に挟まれることがなく、収容具本体８１ｃを引き出した際に用紙Ｋが変形または破損することがなくなる。
ソレノイド８５２をＯＦＦとすると（図１１（Ｂ）の状態）、収容具本体８１ｃを引き出してプリンタ１から完全に抜き出すことができ、メンテナンスを容易に行うことができる。なお、可変ストッパ部材８５は上下動できるものとしたが、左右に回動できる構成としてもよい。
【符号の説明】
【００５２】
１  プリンタ
８０  用紙収容具
８０Ｓ  空間
８１  収容具本体
８１１  収容面
８２  補助部材
８２１  引っかけ部
８３  当接部材
８４  ストッパ部材
８５  可変ストッパ部材
Ｐ  搬送路
【先行技術文献】
【特許文献】
【００５３】
【特許文献１】特許第４１６８０８１号公報
【図１】
0005880102.tif 000002
【図２】
0005880102.tif 000003
【図３】
0005880102.tif 000004
【図４】
0005880102.tif 000005
【図５】
0005880102.tif 000006
【図６】
0005880102.tif 000007
【図７】
0005880102.tif 000008
【図８】
0005880102.tif 000009
【図９】
0005880102.tif 000010
【図１０】
0005880102.tif 000011
【図１１】
0005880102.tif 000012